(57)【要約】【課題】本発明は、床面や土面に流出した流動物の掬い込み作業、及び床面や土面等の不要な付着物取り除き作業の従来の問題点を解消し、作業効率の向上、作業姿勢の向上、作業の簡便化を図ることができるスコップを提供することを目的とする。【解決手段】角型の掬い部２と柄部３を備えたスコップ１において、掬い部２は中央底部に凹状の溜り部２ａ、先端開口部に直線状の刃先部２ｂ、周辺三方に側壁部２ｃを有し、刃先部２ｂは溜り部２ａとの境界線で下方に直線状に折り曲げられており、刃先部２ｂを乗り越した流動物が溜り部２ａに溜まり、スコップ１の作業角度を保つ限り境界線である頂点５が堰となって、溜り部２ａに溜まった流動物が容易に掬い部２の外へ逆流しない機能を有することを特徴とする。【選択図】図１
2011196095.tif 000002
【特許請求の範囲】
【請求項１】
角型の掬い部と柄部を備えたスコップにおいて、掬い部は中央部に凹状の溜り部、先端開口部に直線状の刃先部、周辺三方に側壁部を有し、当該刃先部は溜り部との境界線を頂点として下方に折り曲げられていることを特徴とするスコップ。
【請求項２】
前記溜り部に数箇所の貫通穴を設けたことを特徴とする請求項１に記載のスコップ。
【発明の詳細な説明】
【技術分野】
【０００１】
本発明は、床面や土面等における流動物、及び付着物の掬い込み作業の効率化を図るためのスコップに関する。
【背景技術】
【０００２】
通常のスコップとしては、掬い部の中央の溜り部と先端の刃先部とが同一平面になっている角型スコップが知られている。
【０００３】
上記角型スコップは、掬い込んだ流動物がスコップから流出しやすい欠点があることから、掬い部外周四辺の端縁を上方に折り曲げることによって、流入した流動物を外に流出させないように考案されたスコップが知られている。（参考例特許文献１）
【０００４】
従来、工場の床面にこぼれた切削液や流出した機械油のように流動物が浅く広がった場合の除去作業に効果のあるスコップはなかった。上記に掲げた従来のスコップは流動物を一回にわずかしか掬えない上に、続けて掬おうとするとスコップの底に溜まったわずかな流動物さえも流出する為に、ほとんど除去効果が得られない。バキュームによる吸い取り方法もあるが、段取り時間が長いことや、切削液の中にカールした切削粉が混じっている場合は除去が難しい欠点がある。
【先行技術文献】
【特許文献】
【０００５】
【特許文献１】実開平６−１２５４６号公報
【特許文献２】実用新案登録第３０８１５６１号
【発明の概要】
【発明が解決しようとする課題】
【０００６】
本考案者は、製造工場で永年従事してきて、床面に流出した切削液等の除去が頻繁に発生することが多いのに対し簡便な方法がなく困っており、本発明品は、前述の問題点を解消し、作業効率の向上、作業姿勢の向上、作業の簡便化を図ることができるスコップを提供することを目的とする。
【課題を解決するための手段】
【０００７】
上記の課題を解決するための手段として、請求項１の発明は、角型の掬い部を備えたスコップにおいて、前方の刃先部を掬い部中央の溜り部との境界を頂点として下方に折り曲げることによって、入った流動物が溜り部に溜まると頂点部が堰となり、外へ流出できないようにした。
【０００８】
本発明のスコップの刃先部先端の開口縁と溜り部の底が同時に床面に当たるときの柄部と路面との角度を、作業姿勢が楽になるように設定した。
【発明の効果】
【０００９】
床面や土面等に流出した流動物に対し、スコップを床面に押しつけながら進めていくと、押す力の反動で流動物が容易に刃先部を乗り越え、溜り部に入る。溜り部が流動物で一杯になるまで作業が連続して行なえることが可能となり、作業効率が格段に向上できる。尚、比較的粘性の高い流動物や流動物に切粉等が混在している場合は、ほうき等で押し込めば容易に溜めることができる。
【００１０】
また、無理のない作業姿勢を保ちながら連続して作業を行なえることが可能となり、腰痛等の予防ができる。
【００１１】
さらに、バキューム使用と違って本発明のスコップは、作業前後の段取りが省略でき、作業の簡便化が図られる。
【００１２】
本発明のスコップの刃先部の勾配が柄と同じ向きになっていることで、床面や土面の付着物の除去作業において、作業中におけるスコップの柄と床面となす作業角度が小さくなり、従来のスコップとは格段に楽に、かつ早く作業ができる。
【図面の簡単な説明】
【００１３】
【図１】本発明に係るスコップの斜視図である。
【図２】図１のＡ−Ａ線断面図である。
【図３】図１に示すスコップの実施形態の断面図である。
【図４】通常の角スコップの実施形態の断面図である。
【図５】図１に示すスコップの実施形態の断面図である。
【発明を実施するための形態】
【００１４】
以下、本発明品の実施形態について添付図面を参照して説明する。図１は、本発明品のスコップ１の斜視図である。
【００１５】
スコップ１は、掬い部２の上端の柄取り付け部４によって柄部３に連結され、柄部３の上端部はグリップを設けている。掬い部２は、溜まり部２ａと刃先部２ｂ及び側壁部２ｃから構成され、一体構造となっている。
【００１６】
図２は、図１の掬い部２のＡ−Ａ線断面図である。図２に示すように、刃先部２ｂは、溜まり部２ａとの境界である頂点部５を境に開口縁６が下方に向かうよう折り曲げられている。
【実施例１】
【００１７】
以下、上記構成の動作を図３で説明する。流動物に表面が覆われている床面や土面に開口縁６と溜まり部２ａの底を同時に当て、そのまま前方に滑らせながら押し出していく。スコップの中心軸７と床面８との角度が作業角度１１となる。よって、スコップ１の柄部３は容易に安定でき、作業性が向上する。流動物は、スコップ１を押し出す力の反動で刃先部２ｂを通り、頂点部５を越え溜り部２ａに溜まる。作業角度１１のまま、方向を変えながら進めば広範囲に広がった流動物でも連続的に回収できる。その間、頂点５が堰となって、溜り部２ａに溜まった流動物は最大液面９に達するまで漏れる心配がなく、作業が円滑、かつ楽な姿勢で行なうことができる。
【００１８】
参考文献１のスコップは、刃先部が本発明品と逆方向に折り曲げられており、深さのある流動物に対しては効果があるが、床面や土面に流出した流動物を掬う場合は、ほとんど効果がない。構造上、作業中にスコップの中心軸を変えなければならず、その都度、溜り部に溜まったわずかの流動物がスコップから流出するからである。
【実施例２】
【００１９】
本発明品のスコップは、流動物を効率よく掬う効果とは別に、床面や土面の付着物をかき取ることに対しても、通常の角型スコップとは格段に楽に、かつ早く作業ができる。図４は通常の角型スコップを用いて床面の付着物１２をかき取る時の作業角度１１を示す。通常の角型スコップは、刃先部と溜り部とが同一平面であり、刃先部で付着物をかき取る場合、スコップの中心軸がかなり立つため、力が入りくい。その点、本発明品のスコップ１は、図５に示すように作業角度１１が小さくなるため、前方に押し出す力に無理が生じなく、作業効率を向上させることできる。
【符号の説明】
【００２０】
１    スコップ
２    掬い部
２ａ  溜り部
２ｂ  刃先部
２ｃ  側壁部
３    柄部
４    柄取り付け部
５    頂点部
６    開口縁
７    スコップの中心軸
８    床面
９    最大液面  
１０  床液面
１１  作業角度
１２  付着物
【図１】
2011196095.tif 000003
【図２】
2011196095.tif 000004
【図３】
2011196095.tif 000005
【図４】
2011196095.tif 000006
【図５】
2011196095.tif 000007